(57)【要約】【課題】メンテナンス性が良く、イニシャルコストを低くして実施することができる換気空調システムを提供する。【解決手段】建物１の床下空間１５内に換気装置３と空調装置６とが設けられ、建物１には、通気部としての空調用給気口１７，１７０、換気用給気口２０，２００及び空調用排気口１８，１８０と、空気を屋外へ排気する非熱交換型の換気扇１０とが設けられており、換気装置３には、床下空間１５に吹き出す換気用床下吹出部６４が設けられており、空調装置６には、１階の居間１１及び吹抜空間１３に接続され空調用空気を吸い込む空調用吸込ダクト７４，７５と、１階の居間１１及び２階の居間１２に接続され空調用空気を吹き出す空調用吹出ダクト７１，７２とが設けられた構成とされている。【選択図】図１
2012163247.tif 000002
【特許請求の範囲】
【請求項１】
建物の床下空間内に換気装置と空調装置とが設けられた換気空調システムであって、
前記建物には、前記床下空間と床上空間とを連通する通気部と、前記床上空間内の空気を屋外へ排気する非熱交換型の換気扇とが設けられており、
前記換気装置には、屋外の外気を換気用空気として取り入れて前記床下空間に吹き出す換気用床下吹出部が設けられており、
前記空調装置には、前記床上空間に接続され、空調用空気を吸い込む空調用吸込ダクトと、前記床上空間に接続され、空調用空気を吹き出す空調用吹出ダクトとが設けられていることを特徴とする換気空調システム。
【請求項２】
前記空調装置には、前記床下空間に空調用空気を吹き出す空調用床下吹出部が設けられていることを特徴とする請求項１に記載の換気空調システム。
【請求項３】
前記床下空間内には、調湿材が敷設されていることを特徴とする請求項１又は２に記載の換気空調システム。
【請求項４】
前記空調装置は、除湿機能を有することを特徴とする請求項１乃至３のいずれか１項に記載の換気空調システム。
【請求項５】
前記換気装置には、前記床上空間に接続される換気用吹出ダクトが接続されていることを特徴とする請求項１乃至４のいずれか１項に記載の換気空調システム。
【請求項６】
請求項１乃至５のいずれか１項に記載の換気空調システムを備えていることを特徴とする建物。
【発明の詳細な説明】
【技術分野】
【０００１】
本発明は、建物の換気空調システム及びこの換気空調システムを備えた建物に関するものである。
【背景技術】
【０００２】
従来から、建物の床上空間における換気と空調とを行える換気空調システムが知られている（例えば、特許文献１等を参照）。
【先行技術文献】
【特許文献】
【０００３】
【特許文献１】特開２０１０−１８１０９６号公報
【発明の概要】
【発明が解決しようとする課題】
【０００４】
しかしながら、特許文献１のような従来の換気空調システムでは、熱損失が少ないように熱交換型の換気扇を用いるため、構造が複雑となり、メンテナンス性が良いとは言い難く、イニシャルコストが低いとも言い難かった。
【０００５】
そこで、本発明は、メンテナンス性が良く、イニシャルコストを低くして実施することができる換気空調システム及びこの換気空調システムを備えた建物を提供することを目的としている。
【課題を解決するための手段】
【０００６】
前記目的を達成するために、本発明の換気空調システムは、建物の床下空間内に換気装置と空調装置とが設けられた換気空調システムであって、前記建物には、前記床下空間と床上空間とを連通する通気部と、前記床上空間内の空気を屋外へ排気する非熱交換型の換気扇とが設けられており、前記換気装置には、屋外の外気を換気用空気として取り入れて前記床下空間に吹き出す換気用床下吹出部が設けられており、前記空調装置には、前記床上空間に接続され、空調用空気を吸い込む空調用吸込ダクトと、前記床上空間に接続され、空調用空気を吹き出す空調用吹出ダクトとが設けられていることを特徴とする。
【０００７】
ここで、前記空調装置には、前記床下空間に空調用空気を吹き出す空調用床下吹出部が設けられているとよい。
【０００８】
また、前記床下空間内には、調湿材が敷設されているとよい。
【０００９】
また、前記空調装置は、除湿機能を有するとよい。
【００１０】
さらに、前記換気装置には、前記床上空間に接続される換気用吹出ダクトが接続されていてもよい。
【００１１】
本発明の建物は、上記した換気空調システムを備えていることを特徴とする。
【発明の効果】
【００１２】
このような本発明の換気空調システムは、建物の床下空間内に換気装置と空調装置とが設けられた換気空調システムである。
【００１３】
そして、建物には、床下空間と床上空間とを連通する通気部と、床上空間内の空気を屋外へ排気する非熱交換型の換気扇とが設けられており、換気装置には、屋外の外気を換気用空気として取り入れて床下空間に吹き出す換気用床下吹出部が設けられており、空調装置には、床上空間に接続され、空調用空気を吸い込む空調用吸込ダクトと、床上空間に接続され、空調用空気を吹き出す空調用吹出ダクトとが設けられた構成とされている。
【００１４】
こうした構成なので、熱交換を行うためのダクト等の配管を省略した簡易な構造となるため、その分メンテナンス性が良く、イニシャルコストを低くして実施することができる。
【００１５】
さらに、換気を行う際の熱交換をしない分の熱損失は有るが、換気のための空気量は、空調のための空気量に比べればかなり少量なうえに、簡易な構造のものを運転すればよいので、この熱損失を補完するように運転を行っても、必要なエネルギーは小さく、さしてランニングコストは高くならず、耐用年数等も考慮すれば、トータルコストは従来技術に比して有利である。
【００１６】
ここで、空調装置には、床下空間に空調用空気を吹き出す空調用床下吹出部が設けられている場合は、空調用床下吹出部から吹き出された空調用空気としての暖気により、床下空間が即座に暖められ、その熱が主に床を介して床上空間へ伝達され、床上空間が均一にムラなく暖まる床下暖房を行うことができる。
【００１７】
また、床下空間内には、調湿材が敷設されている場合は、床上空間へ供給される空気を、床下空間を利用して効率良く調湿することができる。
【００１８】
また、空調装置が、除湿機能を有する場合は、居住者の好みに合わせてより正確に湿度を調節することができる。
【００１９】
さらに、換気装置には、床上空間に接続される換気用吹出ダクトが接続されている場合は、特に、床上空間に床下空間から離れた上階の部屋などが有るときは、換気用吹出ダクトにより、換気用空気を効率良く送ることができる。
【００２０】
このような本発明の建物は、上記した換気空調システムを備えた構成とされている。
【００２１】
こうした構成なので、上記した効果を奏する建物とすることができる。
【図面の簡単な説明】
【００２２】
【図１】実施例の換気空調システムを備えた建物の概略構成を説明する説明図である。
【図２】実施例の換気空調システムにおいて、換気運転を行った状態を示す説明図である。
【図３】実施例の換気空調システムにおいて、即効性を有する暖房空調運転、又は冷房空調運転を行った状態を示す説明図である。
【図４】実施例の換気空調システムにおいて、床下暖房空調運転を行った状態を示す説明図である。
【図５】実施例の換気空調システムにおいて、即効性を有する暖房空調運転及び床下暖房空調運転を行った状態を示す説明図である。
【発明を実施するための形態】
【００２３】
以下、本発明を実施するための形態を、図面に示す実施例に基づいて説明する。
【実施例】
【００２４】
先ず、実施例の構成について説明する。
【００２５】
図１は、実施例の換気空調システムを備えた建物１の概略構成を示している。
【００２６】
まず、このような建物１は、床上空間としての１階の居間１１と、床上空間としての２階の居間１２，１２と、廊下や階段などが設けられる床上空間としての吹抜空間１３とを備えた２階建ての建物である。
【００２７】
ここで、２階の居間１２，１２の間には、間仕切壁１２０が設けられており、この間仕切壁１２０はガラリなどの通気路（図示せず）を有する。
【００２８】
また、１階の居間１１及び２階の居間１２と吹抜空間１３との間には、間仕切壁１３０が設けられており、この間仕切壁１３０もガラリなどの通気路（図示せず）を有する。
【００２９】
さらに、１階の居間１１及び吹抜空間１３の下方には、床１４を介して周囲が基礎によって囲まれている床下空間１５が形成されている。
【００３０】
ここで、床下空間１５の側壁部には、断熱材（図示せず）が貼り付けられており、床下空間１５内の空気の熱が屋外に極力漏れない断熱構造となっている。
【００３１】
また、１階の居間１１の天井１１ａと２階の居間１２の床１２ａとの間には、２階床下空間１６が形成されている。
【００３２】
ここで、床下空間１５内には、冷暖房機能と除湿機能とを備えたヒートポンプ式の空調装置６と、送風機能を備えた換気装置３とが設置されている。
【００３３】
なお、空調装置６の屋外機については図示を省略した。
【００３４】
まず、空調装置６は、その下流側が、１階の居間１１の床１４に形成された通気部としての空調用給気口１７と空調用吹出ダクト７１を介して接続されている。
【００３５】
また、空調装置６は、その下流側が、２階の居間１２，１２の床１２ａに形成された通気部としての空調用給気口１７０と、間仕切壁１３０内と２階床下空間１６内を通った空調用吹出ダクト７２を介して接続されている。
【００３６】
また、空調装置６の下流側には、空調用床下吹出部７３も設けられている。
【００３７】
さらに、空調装置６は、その上流側が、１階の居間１１の床１４に形成された通気部としての空調用排気口１８と空調用吸込ダクト７４を介して接続されている。
【００３８】
また、空調装置６は、その上流側が、吹抜空間１３の床１４に形成された通気部としての空調用排気口１８０と空調用吸込ダクト７５を介して接続されている。
【００３９】
一方で、換気装置３は、その下流側に中継ダクト６３を介して分岐チャンバ４が接続されている。
【００４０】
そして、分岐チャンバ４には、換気用床下吹出部６４が設けられているとともに、２階の居間１２，１２の床１２ａに形成された通気部としての換気用給気口２００と、間仕切壁１３０内と２階床下空間１６内を通った換気用吹出ダクト６５を介して接続されている。
【００４１】
ここで、１階の居間１１と床下空間１５との間は、１階の居間１１の床１４に形成された通気部としての換気用給気口２０により連通されている。
【００４２】
また、換気装置３の上流側には、中継ダクト６２を介してフィルタボックス２が接続されている。
【００４３】
そして、フィルタボックス２には、外壁１９に形成された外気吸入口８と、換気用吸込ダクト６１を介して接続されている。
【００４４】
ここで、外壁１９には、吹抜空間１３から屋外へ連通する内気吐出口９，９が形成されており、これら内気吐出口９，９には、内気を吹抜空間１３から屋外へ排気する非熱交換型の換気扇１０がそれぞれ設けられている。
【００４５】
さらに、床下空間１５内には、空調装置６や換気装置３などが設置されている箇所を除いた部分に調湿材５が敷設されている。
【００４６】
この調湿材５は、水分を吸収したり発散したりすることによって空気中の湿度を調整するものであり、ゼオライト、シリカゲル、トバモライト、及び珪藻土などが好適に用いられる。
【００４７】
なお、床上空間としての１階の居間１１、２階の居間１２，１２、及び吹抜空間１３には、この実施例の換気空調システムを所望の運転パターンに設定するための図示省略のコントローラがそれぞれ設けられている。
【００４８】
そして、このコントローラから有線又は無線で、空調装置６及び換気装置３へ設定信号が送信され、空調装置６及び換気装置３は、その設定信号に基づいて制御される。
【００４９】
次に、実施例の換気空調システムの運転パターンについて説明する。
【００５０】
なお、図２〜図５では、換気用空気の流れを黒矢印で示し、空調用空気の流れは白抜矢印で示して説明する。
【００５１】
まず、換気運転時のパターンについて説明する。
【００５２】
建物１内の換気運転は、現在では、連続的であるか間欠的であるかにかかわらず、必ず行わなくてはならないものである。
【００５３】
この換気運転時には、換気装置３は、内部のファン（図示せず）を稼動し、その上流側で、外気吸入口８から換気用吸込ダクト６１、フィルタボックス２、及び中継ダクト６２を介して換気用空気としての外気を吸い込み、その下流側で、中継ダクト６３、及び分岐チャンバ４を介して、換気用床下吹出部６４、及び換気用吹出ダクト６５から換気用空気を吹き出す制御を行う。
【００５４】
このように制御を行うと、図２に示したように、換気用床下吹出部６４から吹き出された換気用空気は、床下空間１５を通り、換気用給気口２０から１階の居間１１内へ供給される。
【００５５】
また、換気用吹出ダクト６５から吹き出された換気用空気は、換気用給気口２００から２階の居間１２内へ供給される。
【００５６】
そして、これらの換気用空気は、間仕切壁１３０の通気路（図示せず）を通って吹抜空間１３内へ供給される。
【００５７】
最後に、換気用空気として取り入れた分量と略同量の空気が、外壁１９の内気吐出口９に設けられた非熱交換型の換気扇１０により強制的に建物１の屋外へ排出される。
【００５８】
すなわち、これらの循環を繰り返す。
【００５９】
次に、暖房空調運転時のパターンについて説明する。
【００６０】
まず、即効性を有する暖房空調運転のみを行う場合について説明する。
【００６１】
なお、この運転時には、上記した換気運転も同時に行っているときについて説明するので、換気についての説明は概ね省略する。
【００６２】
この即効性を有する暖房空調運転時には、空調装置６は、内部のファン（図示せず）を稼動し、その上流側で、空調用排気口１８，１８０から空調用吸込ダクト７４，７５を介して空調用空気としての建物１の内気を吸い込み、その下流側で、空調用吹出ダクト７１，７２から空調用空気としての暖気を吹き出す制御を行う。
【００６３】
このように制御を行うと、図３に示したように、空調用吹出ダクト７１から吹き出された空調用空気としての暖気は、空調用給気口１７から１階の居間１１内へ供給される。
【００６４】
また、空調用吹出ダクト７２から吹き出された空調用空気としての暖気は、空調用給気口１７０から２階の居間１２内へ供給される。
【００６５】
そして、これらの空調用空気としての暖気は、間仕切壁１３０の通気路（図示せず）を通って吹抜空間１３内へ供給される。
【００６６】
なお、換気用空気として取り入れた分量と略同量の空気が、外壁１９の内気吐出口９に設けられた非熱交換型の換気扇１０により強制的に建物１の屋外へ排出される。
【００６７】
すなわち、これらの循環を繰り返す。
【００６８】
次に、床下暖房空調運転のみを行う場合について説明する。
【００６９】
なお、この運転時にも、上記した換気運転も同時に行っているときについて説明するので、換気についての説明は概ね省略する。
【００７０】
この床下暖房空調運転時には、空調装置６は、内部のファン（図示せず）を稼動し、その上流側で、空調用排気口１８，１８０から空調用吸込ダクト７４，７５を介して空調用空気としての建物１の内気を吸い込み、その下流側で、空調用床下吹出部７３から空調用空気としての暖気を吹き出す制御を行う。
【００７１】
このように制御を行うと、図４に示したように、空調用床下吹出部７３から吹き出された空調用空気としての暖気は、換気用給気口２０から１階の居間１１内へ供給される。
【００７２】
また、この空調用空気としての暖気は、間仕切壁１３０の通気路（図示せず）を通って吹抜空間１３内へ供給される。
【００７３】
そして、この間、空調用空気としての暖気の大半は、床下空間１５内を循環して暖め、こうして暖められた床下空間１５から点線矢印で示したように、熱が伝わり、主に、１階の居間１１及び吹抜空間１３が、均一にムラなく暖まる床暖房により暖められる。
【００７４】
なお、換気用空気として取り入れた分量と略同量の空気が、外壁１９の内気吐出口９に設けられた非熱交換型の換気扇１０により強制的に建物１の屋外へ排出される。
【００７５】
すなわち、これらの循環を繰り返す。
【００７６】
次に、即効性を有する暖房空調運転及び床下暖房空調運転の両方を行う場合について説明する。
【００７７】
なお、この運転時にも、上記した換気運転も同時に行っているときについて説明するので、換気についての説明は概ね省略する。
【００７８】
この即効性を有する暖房空調運転及び床下暖房空調運転の両方を行う時には、空調装置６は、内部のファン（図示せず）を稼動し、その上流側で、空調用排気口１８，１８０から空調用吸込ダクト７４，７５を介して空調用空気としての建物１の内気を吸い込み、その下流側で、空調用吹出ダクト７１，７２及び空調用床下吹出部７３から空調用空気としての暖気を吹き出す制御を行う。
【００７９】
このように制御を行うと、図５に示したように、空調用吹出ダクト７１から吹き出された空調用空気としての暖気は、空調用給気口１７から１階の居間１１内へ供給され、空調用床下吹出部７３から吹き出された空調用空気としての暖気も、換気用給気口２０から１階の居間１１内へ供給される。
【００８０】
また、空調用吹出ダクト７２から吹き出された空調用空気としての暖気は、空調用給気口１７０から２階の居間１２内へ供給される。
【００８１】
さらに、これらの空調用空気としての暖気は、間仕切壁１３０の通気路（図示せず）を通って吹抜空間１３内へ供給される。
【００８２】
そして、２階の居間１２は、主に、即効性を有する暖房のみで暖められるが、１階の居間１１及び吹抜空間１３は、即効性を有する暖房だけでなく、空調用空気としての暖気が循環して暖められた床下空間１５から点線矢印で示したように、熱が伝わり、均一にムラなく暖まる床暖房によっても暖められる。
【００８３】
なお、換気用空気として取り入れた分量と略同量の空気が、外壁１９の内気吐出口９に設けられた非熱交換型の換気扇１０により強制的に建物１の屋外へ排出される。
【００８４】
すなわち、これらの循環を繰り返す。
【００８５】
次に、冷房空調運転時のパターンについて説明する。
【００８６】
なお、この運転時にも、上記した換気運転も同時に行っているときについて説明するので、換気についての説明は概ね省略する。
【００８７】
この冷房空調運転時には、空調装置６は、内部のファン（図示せず）を稼動し、その上流側で、空調用排気口１８，１８０から空調用吸込ダクト７４，７５を介して空調用空気としての建物１の内気を吸い込み、その下流側で、空調用吹出ダクト７１，７２から空調用空気としての冷気を吹き出す制御を行う。
【００８８】
このように制御を行うと、図３に示したように、空調用吹出ダクト７１から吹き出された空調用空気としての冷気は、空調用給気口１７から１階の居間１１内へ供給される。
【００８９】
また、空調用吹出ダクト７２から吹き出された空調用空気としての冷気は、空調用給気口１７０から２階の居間１２内へ供給される。
【００９０】
そして、これらの空調用空気としての冷気は、間仕切壁１３０の通気路（図示せず）を通って吹抜空間１３内へ供給される。
【００９１】
なお、換気用空気として取り入れた分量と略同量の空気が、外壁１９の内気吐出口９に設けられた非熱交換型の換気扇１０により強制的に建物１の屋外へ排出される。
【００９２】
すなわち、これらの循環を繰り返す。
【００９３】
次に、実施例の作用効果について説明する。
【００９４】
このような実施例の換気空調システムは、建物１の床下空間１５内に換気装置３と空調装置６とが設けられた換気空調システムである。
【００９５】
そして、建物１には、床下空間１５と床上空間としての１階の居間１１、２階の居間１２及び吹抜空間１３とを連通する通気部としての空調用給気口１７，１７０、換気用給気口２０，２００及び空調用排気口１８，１８０と、１階の居間１１、２階の居間１２及び吹抜空間１３の内部の空気を屋外へ排気する非熱交換型の換気扇１０とが設けられている。
【００９６】
また、換気装置３には、屋外の外気を換気用空気として取り入れて床下空間１５に吹き出す換気用床下吹出部６４が設けられている。
【００９７】
さらに、空調装置６には、１階の居間１１及び吹抜空間１３に接続され、空調用空気を吸い込む空調用吸込ダクト７４，７５と、１階の居間１１及び２階の居間１２に接続され、空調用空気を吹き出す空調用吹出ダクト７１，７２とが設けられている。
【００９８】
そのうえで、非熱交換型の換気扇１０では、換気装置３による建物１内への換気用空気の取り入れ分量と略同量の１階の居間１１、２階の居間１２及び吹抜空間１３の内部の空気を屋外へ排気する制御がなされる構成とされている。
【００９９】
こうした構成なので、熱交換を行うためのダクト等の配管を省略した簡易な構造となるため、その分メンテナンス性が良く、イニシャルコストを低くして実施することができる。
【０１００】
さらに、換気を行う際の熱交換をしない分の熱損失は有るが、換気のための空気量は、空調のための空気量に比べればかなり少量なうえに、簡易な構造のものを運転すればよいので、この熱損失を補完するように運転を行っても、必要なエネルギーは小さく、さしてランニングコストは高くならず、耐用年数等も考慮すれば、トータルコストは従来技術に比して有利である。
【０１０１】
ここで、空調装置６には、床下空間１５に空調用空気としての暖気を吹き出す空調用床下吹出部７３が設けられている。
【０１０２】
このため、空調用床下吹出部７３から吹き出された空調用空気としての暖気により、床下空間１５が即座に暖められ、その熱が主に床１４を介して床上空間としての１階の居間１１及び吹抜空間１３へ伝達され、主に１階の居間１１及び吹抜空間１３が均一にムラなく暖まる床下暖房を行うことができる。
【０１０３】
また、床下空間１５内には、調湿材５が敷設されている。
【０１０４】
このため、床上空間としての１階の居間１１及び吹抜空間１３へ供給される換気用空気及び空調用空気を、床下空間１５を利用して効率良く調湿することができる。
【０１０５】
また、空調装置６は、除湿機能を有するものである。
【０１０６】
このため、居住者の好みに合わせてより正確に床上空間としての１階の居間１１、２階の居間１２及び吹抜空間１３の内部の湿度を調節することができる。
【０１０７】
さらに、換気装置３には、床上空間としての２階の居間１２に接続される換気用吹出ダクト６５が接続されている。
【０１０８】
このため、床下空間１５から離れた２階の居間１２にも、換気用吹出ダクト６５により、換気用空気を効率良く送ることができる。
【０１０９】
このような実施例の建物１は、実施例の換気空調システムを備えた構成とされている。
【０１１０】
このような構成なので、上記した作用効果を奏する建物とすることができる。
【０１１１】
そのうえ、換気装置３や空調装置６などが、床下空間１５内に設置されているので、床上空間としての１階の居間１１、２階の居間１２及び吹抜空間１３は、これらに占用されず、有効に利用することができ、意匠的外観も良い。
【０１１２】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【０１１３】
例えば、上記した実施例では、説明を簡単にするために、建物１を単純な２階建ての構造として実施したが、これに限定されず、その他の構造で実施してもよい。
【０１１４】
また、上記した実施例では、床下空間１５内に調湿材５を敷設して実施したが、これに限定されず、調湿材５を敷設しないで実施してもよい。
【０１１５】
また、上記した実施例では、非熱交換型の換気扇１０を備えた内気吐出口９を外壁１９に建物１の１階の天井近傍位置と２階の天井近傍位置との２箇所設けて実施したが、これに限定されず、例えば、１箇所のみ設けて実施してもよい。
【０１１６】
さらに、上記した実施例では、非熱交換型の換気扇１０を備えた内気吐出口９から、換気装置３による換気用空気の取り入れ分量と略同量の空気を屋外へ排出する制御がなされるようにして実施したが、これに限定されず、例えば、花粉等の建物１内への侵入を防止するために、換気装置３による換気用空気の取り入れ分量をやや多くし、建物１内の内圧を大きくする制御がなされるようにして実施してもよい。
【符号の説明】
【０１１７】
１      建物
２      フィルタボックス
３      換気装置
４      分岐チャンバ
５      調湿材
６      空調装置
６１    換気用吸込ダクト
６２    中継ダクト
６３    中継ダクト
６４    換気用床下吹出部
６５    換気用吹出ダクト
７１    空調用吹出ダクト
７２    空調用吹出ダクト
７３    空調用床下吹出部
７４    空調用吸込ダクト
７５    空調用吸込ダクト
８      外気吸入口
９    内気吐出口
１０  非熱交換型の換気扇
１１    １階の居間（床上空間）
１１ａ  １階の居間の天井
１２    ２階の居間（床上空間）
１２ａ  ２階の居間の床
１２０  間仕切壁
１３    吹抜空間（床上空間）
１３０  間仕切壁
１４    １階の居間及び吹抜空間の床
１５    床下空間
１６    ２階床下空間
１７    空調用給気口（通気部）
１７０  空調用給気口（通気部）
１８    空調用排気口（通気部）
１８０  空調用排気口（通気部）
１９    外壁
２０    換気用給気口（通気部）
２００  換気用給気口（通気部）
【図１】
2012163247.tif 000003
【図２】
2012163247.tif 000004
【図３】
2012163247.tif 000005
【図４】
2012163247.tif 000006
【図５】
2012163247.tif 000007